(57)【特許請求の範囲】
【請求項１】
枠と、戸と、コーナー部品とを備え、枠は、縦枠に沿って設けた縦タイト材と、下枠に沿って設けた下タイト材を有し、下タイト材は、戸の縦框及び下框の室内側面と対向しており、コーナー部品は、縦枠と下枠とのコーナー部に設けてあり、縦タイト材と下タイト材を連続しており、上面に結露水受け部を有し、下タイト材よりも上方で結露水の出口が室外側に向けて設けてあり、戸の閉鎖時において結露水が下タイト材と当接する下框上面に設けた戸側結露水受け部に導かれる又は戸の閉鎖時において結露水が下框と非当接状態に配置した下タイト材と下框との隙間に導かれることを特徴とする建具。
【発明の詳細な説明】
【技術分野】
【０００１】
本発明は、結露水で床などが濡れるのを防止できる建具に関する。
【背景技術】
【０００２】
浴室への出入口には浴室建具が設けられる（例えば、特許文献１参照。）。浴室建具の脱衣室側には結露が生じやすく、従来の浴室建具は脱衣室側で発生した結露水を処理できず、脱衣室の床を濡らす問題があった。
【先行技術文献】
【特許文献】
【０００３】
【特許文献１】特開２００１−７３６４８号公報
【発明の概要】
【発明が解決しようとする課題】
【０００４】
本発明は以上に述べた実情に鑑み、室内の床などを結露水で濡らさないように結露水を処理できる建具の提供を目的とする。
【課題を解決するための手段】
【０００５】
上記の課題を達成するために請求項１記載の発明による建具は、枠と、戸と、コーナー部品とを備え、枠は、縦枠に沿って設けた縦タイト材と、下枠に沿って設けた下タイト材を有し、下タイト材は、戸の縦框及び下框の室内側面と対向しており、コーナー部品は、縦枠と下枠とのコーナー部に設けてあり、縦タイト材と下タイト材を連続しており、上面に結露水受け部を有し、下タイト材よりも上方で結露水の出口が室外側に向けて設けてあり、戸の閉鎖時において結露水が下タイト材と当接する下框上面に設けた戸側結露水受け部に導かれる又は戸の閉鎖時において結露水が下框と非当接状態に配置した下タイト材と下框との隙間に導かれることを特徴とする。
【発明の効果】
【０００６】
請求項１記載の発明による建具は、下枠に沿って設けた下タイト材が戸の縦框及び下框の室内側面と対向しており、縦枠と下枠とのコーナー部に設けたコーナー部品の上面に結露水受け部を有すると共に、下タイト材よりも上方で結露水の出口が室外側に向けて設けてあり、戸の閉鎖時において結露水が下タイト材と当接する下框上面に設けた戸側結露水受け部に導かれる又は戸の閉鎖時において結露水が下框と非当接状態に配置した下タイト材と下框との隙間に導かれることで、室内の床などが結露水で濡れるのを防止できる。
【図面の簡単な説明】
【０００７】
【図１】図５のＡ−Ａ断面図である。
【図２】（ａ）は図５のＢ−Ｂ断面図、（ｂ）は縦枠と下枠とのコーナー部を脱衣室側から見た正面図である。
【図３】縦枠と下枠とのコーナー部の斜視図である。
【図４】下タイト材及びコーナー部品を枠から分離した状態で示す縦枠と下枠とのコーナー部の斜視図である。
【図５】本発明の建具の第１実施形態に係る浴室戸の脱衣室側から見た正面図である。
【図６】第１実施形態の浴室戸の横断面図である。
【図７】第１実施形態の浴室戸の枠の下部を拡大して示す縦断面図であって、戸を開けたときの状態を示す。
【図８】本発明の建具の第２実施形態に係る浴室戸の脱衣室側から見た正面図である。
【図９】第２実施形態の浴室戸の横断面図である。
【図１０】図８のＣ−Ｃ断面図である。
【発明を実施するための形態】
【０００８】
以下、本発明の実施の形態を図面に基づいて説明する。図１〜７は、本発明の建具の第１実施形態を示している。本建具は、浴室への出入口に設けられる浴室戸であって、図５，６に示すように、枠１と、枠１内に設けた戸２とを備える。戸２は、ピボットヒンジ１３にて上下枠１４，１５に支持してあり、浴室側に向けて開く開き戸となっている。枠１は、上枠１４と下枠１５と左右の縦枠１６，１６とを四周枠組みして構成してある。戸２は、上框１７と下框８と戸先框６と吊元框７とを四周框組みし、その内側にパネル１８を嵌め込んで構成してある。
【０００９】
縦枠１６は、図２に示すように、戸２よりも脱衣室側で内周側に向けて突出する突条１９を長手方向に沿って有し、突条１９にはタイト材保持部２０が設けてあり、タイト材保持部２０に保持して浴室側に向けて縦タイト材４が設けてある。縦タイト材４は、突条１９の内周側面と面一状に浴室側に向けてのびる第１のヒレ片２１と、第１のヒレ片２１の外周側に離間して設けられ、内周側に屈曲してのびる第２のヒレ片２２を有し、第１及び第２のヒレ片２１，２２が縦框（戸先框６及び吊元框７）の脱衣室側面に当接している。
【００１０】
下枠１５は、図１に示すように、上面が略フラットになっており、浴室の床２３と脱衣室の床２４との間の段差をなくしてある。戸１の下に位置する下枠上面２５は、浴室側に向かって緩い下り勾配が付けられており、その傾斜した下枠上面２５の脱衣室側に浅い幅広の第１の溝２６が形成してあり、第１の溝２６の見込み方向中間部にリップ形の第２の溝２７が形成してある。第１の溝２６の脱衣室側には、フラットなアングル部２８が設けてある。
下枠１５には、第１及び第２の溝２６，２７に埋め込む形で下タイト材５が下枠上面から立ち上げて設けてあり、下タイト材５は戸２の縦框（戸先框６及び召合せ框７）及び下框８の脱衣室側面と対向している。下タイト材５は、下枠１５の第１及び第２の溝２６，２７に保持される基部２９と、基部２９の脱衣室側から立ち上がる中空の立ち上がり部３０を有している。立ち上がり部３０は、図７に示すように、根元側から先端側に向かうにつれて見込み方向の厚みが厚くなり、且つ浴室側に若干傾斜してのびており、戸２を閉めると、図１に示すように、戸２に押されて見込み方向に若干潰れ、戸２の脱衣室側面と密着する。
【００１１】
縦枠１６の突条１９及び縦タイト材４は、図４に示すように、下端部が下枠１５の上面までのびており、その下端面は下枠１５の第１の溝２６内の脱衣室側端部の位置で下枠１５上面に当接している。突条１９の下端と下枠１５上面との間には、図示しないシーラーを挟み込んで設けてある。このように、縦枠１６の突条１９及び縦タイト材４の下端を下枠１５上面と水密的に当接しているため、縦枠１６の突条１９の下端と下枠１５上面の間からの漏水を防止できる。なお、縦枠１６の突条１９の下端を下枠１５の第１の溝２６内で下枠１５上面に当接していることで、シーラーが無くても止水の効果がある。また、縦枠１６の突条１９の下端を、下タイト材５の基部２９に当接することもできる。
下タイト材５は、図４に示すように、長手方向の端部の脱衣室側に切欠き３１が設けてあり、図３に示すように、立ち上がり部３０の小口が縦枠１６の突条１９及び縦タイト材４の内周側面に当接している。また、切り残した下タイト材５の基部２９の上面に縦タイト材４の下端が当接している。これにより縦タイト材４と下タイト材５とが連続している。
【００１２】
縦枠１６と下枠１５とのコーナー部の脱衣室側には、樹脂製のコーナー部品３が設けてあり、コーナー部品３によりコーナー部を止水すると共に、縦タイト材４と下タイト材５を連続させている。コーナー部品３は、図１，２に示すように、縦枠１６の突条１９の脱衣室側面に当接する正面壁３２と、縦枠１６の内周側面に当接する側壁３３とを有する平面視略Ｌ形に形成され、縦タイト材４と下タイト材５との突合せ部を脱衣室側から覆っていると共に、下タイト材５の脱衣室側への倒れを防いでいる。コーナー部品３には、図１と図２（ａ）に示すように、下タイト材５の立ち上がり部３０の上面と縦枠１６の突条１９の内周側面に沿って浴室側に突出する突出部３４が設けてあり、突出部３４の上部の内周側面には突条１９の内周側端部浴室側に係止する係止部３５が設けてある。係止部３５は、縦タイト材４を一部変形させて縦タイト材４と突条１９との間に挿入されており、係止部３５は縦タイト材４と突条１９で隠れている。
このように、コーナー部品３に縦枠１６の突条１９の内周側端部に係止する係止部３５を設けたことで、戸２を閉めたときなどに下タイト材５が脱衣室側に押されても、下タイト材５の脱衣室側への倒れを防止でき、コーナー部品３自身の倒れも防止でき、コーナー部品３を安定して取付けできる。また、係止部３５は下タイト材５から上方に離間した位置で縦枠１６の突条１９に係止しているので、係止部３５を挿入することで縦タイト材４が部分的に変形しても、下タイト材５の端部が当接している箇所とは上方に離隔しているので、下タイト材５の端部と縦タイト材４の内周側面の当接を良好に維持することができ、縦タイト材４と下タイト材５の連続性を確保できる。
コーナー部品３は、内周側からの１本のねじ３６で縦枠１６のアングル部３７に固定してあり、ねじ３６を締め込む方向が前述の係止部３５の係止する方向と同じ方向のため、係止部３５の係止が外れることがなく、１本のねじ３６でコーナー部品３を安定して取付けできる。ねじ３６用の孔３８（図４参照）は、縦枠１６のアングル部３７を躯体に固定するために設けてあるねじ孔３８を利用しており、ねじ３６でコーナー部品３を縦枠１６のアングル部３７と共締めしている。これにより、特別な加工をすることなくコーナー部品３を取付けでき、既存の浴室建具にコーナー部品３を後付けすることも容易である。また、コーナー部品３を取付けるために下枠１５に穴や切欠き等を設ける必要がないので、水が下枠１５の孔等から躯体に浸み込むことがない。
コーナー部品３と縦枠１６の突条１９、縦枠１６のアングル部３７及び下枠１５のアングル部２８との間には、図２に示すように、シーラー３９を押し潰した状態で設けてある。
【００１３】
コーナー部品３は、図２に示すように、正面壁３２の上部の脱衣室側から突出部３４の内周側にかけて起立壁４０が設けてあり、これによりコーナー部品３の上面に縦枠１６の突条１９の脱衣室側面に生じた結露水を受ける結露水受け部９が設けてあり、下タイト材５よりも上方で結露水の出口１０が浴室側に向けて設けてある。したがって、縦枠１６の突条１９の脱衣室側面に生じた結露水はコーナー部品３の結露水受け部９で受けられ、結露水受け部９で受けた結露水は、図１に示すように、下タイト材５の上に落ちる。戸２の縦框（戸先框６及び吊元框７）の脱衣室側面に生じた結露水も、下タイト材５の上に落ちる。下タイト材５の上に落ちた結露水は、下タイト材５の長手方向端部が縦枠１６の突条１９及び縦タイト材４の内周側面に当接して堰き止められていること（図２（ａ）参照）、下タイト材５の上面は円弧状に形成されていること（図１参照）により、図２（ａ）中に矢印４１で示すように、下框８側に向かって流れる。
下框８は、図１に示すように、脱衣室側面の下部に脱衣室側に向けて延出する延出部４２が設けてあり、延出部４２の先端部が下タイト材５に当接しており、したがって延出部４２上に戸側結露水受け部１１が構成されている。下タイト材５上から下框８側に流れた結露水は、この戸側結露水受け部１１に溜まる。戸側結露水受け部１１に溜まった結露水は、戸２を開けたときに下枠上面２５を伝って浴室側に流れる。
【００１４】
以上に述べたように本浴室戸は、下枠１５に沿って設けた下タイト材５が戸２の縦框（戸先框６及び召合せ框７）及び下框８の脱衣室側面と対向しており、縦枠１６と下枠１５とのコーナー部に設けたコーナー部品３の上面に結露水受け部９を有すると共に、下タイト材５よりも上方で結露水の出口１０が浴室側に向けて設けてあり、結露水が下タイト材５と当接する下框８上面に設けた戸側結露水受け部１１に導かれることで、脱衣室の床が結露水で濡れるのを防止できる。
また本浴室戸は、縦枠１６の突条１９及び縦タイト材４の下端が下枠１５上面に水密的に当接しているため、止水性に優れる。さらに本浴室戸は、下タイト材５の小口が縦枠１６の突条１９及び縦タイト材４の内周側に当接した状態で、コーナー部品３が縦タイト材４と下タイト材５の突合せ部を脱衣室側から覆っているため、より止水性を高めることができる。
コーナー部品３は、縦枠１６の突条１９の内周側端部に係止部３５が係止していることで、戸２を閉めたときなどに脱衣室側に押されても脱衣室側に倒れることがなく、コーナー部品３を安定して取付けできる。さらに、コーナー部品３を内周側からのねじ３６で縦枠１６に固定したことで、ねじ３６を締め込む方向と係止部３５の係止する方向が同じになり、コーナー部品３を強固に取付けることができる。コーナー部品３の係止部３５は、突出部３４の上部にのみ設けてあり、係止部３５が下タイト材５から上方に離間した位置で縦枠１６の突条１９に係止させているため、下タイト材５と縦タイト材４の当接状態を良好に維持することができる。
【００１５】
図８〜１０は、本発明の建具の第２実施形態を示している。本建具も、浴室への出入口に設けられる浴室戸であって、戸２は３枚引戸２ａ，２ｂ，２ｃになっている。縦枠１６と下枠１５とのコーナー部には、第１実施形態と同様にコーナー部品３が設けてある。コーナー部品は、第１実施形態のものと同一のものを用いている。
【００１６】
下枠１５は、図１０に示すように、上面に３枚の引戸２ａ，２ｂ，２ｃをそれぞれ案内するレール４３ａ，４３ｂ，４３ｃが設けてあり、各レール４３ａ，４３ｂ，４３ｃの上面は下枠１５の脱衣室側に設けたアングル部２８の上面と同じ高さになっている。アングル部２８の浴室側に形成された段部には浴室側に向けて開口するタイト材保持溝４４が形成してあり、タイト材保持溝４４に保持して下タイト材５が内周側に突出して設けてある。下タイト材５は、上方に立ち上がるヒレ状に形成されており、引戸２ａ，２ｂ，２ｃの縦框４５及び下框８の脱衣室側面と対向している。下タイト材５の長手方向の端部は、縦枠１６の突条１９及び縦タイト材４の内周側面に当接している。下タイト材５は、引戸２ａ，２ｂ，２ｃの脱衣室側面には当接しておらず、下タイト材５と引戸２ｃの脱衣室側面との間には隙間１２がある。
【００１７】
本浴室戸は、図１０に示すように、縦枠１６の突条１９の脱衣室側面に生じた結露水は、コーナー部品３の結露水受け部９で受けられ、結露水受け部９の浴室側に設けられた結露水の出口１０より、下タイト材５と引戸２ｃの下框８との間の隙間１２に導かれる。引戸２ｃの縦框４５や下框８の脱衣室側面に生じた結露水も、下タイト材５と引戸２ｃの下框８との間の隙間１２に導かれる。下タイト材５と引戸２ｃの下框８との間の隙間１２に入った結露水は、レール４３ｃに設けた排水孔（図示省略）と下枠本体４６の傾斜した上面を通じて浴室側へと排水される。
【００１８】
以上に述べたように本浴室戸は、下枠１５に沿って設けた下タイト材５が戸２ｃの縦框４５及び下框８の脱衣室側面と対向しており、縦枠１６と下枠１５とのコーナー部に設けたコーナー部品３の上面に結露水受け部９を有すると共に、下タイト材５よりも上方で結露水の出口１０が浴室側に向けて設けてあり、結露水が下框８と非当接状態に配置した下タイト材５と下框８との隙間１２に導かれることで、脱衣室の床が結露水で濡れるのを防止できる。
【００１９】
本発明は以上に述べた実施形態に限定されない。縦タイト材や下タイト材、コーナー部品の具体的な形状は、適宜変更することができる。縦タイト材と下タイト材とは直に当接して連続させてあってもよいが、縦タイト材と下タイト材をコーナー部品を介して連続させてあってもよい。戸は、開き戸や引戸に限らず、折戸であってもよい。本発明は浴室戸に限らず、屋外に面した窓や出入口用の建具にも適用でき、その場合は浴室側が室外側となり、脱衣室側が室内側となる。
【符号の説明】
【００２０】
１  枠
２  戸
３  コーナー部品
４  縦タイト材
５  下タイト材
６  戸先框（縦框）
７  吊元框（縦框）
８  下框
９  結露水受け部
１０  結露水の出口
１１  戸側結露水受け部
１２  隙間
４５  縦框
【図１】
0006742121.tif 000002
【図２】
0006742121.tif 000003
【図３】
0006742121.tif 000004
【図４】
0006742121.tif 000005
【図５】
0006742121.tif 000006
【図６】
0006742121.tif 000007
【図７】
0006742121.tif 000008
【図８】
0006742121.tif 000009
【図９】
0006742121.tif 000010
【図１０】
0006742121.tif 000011